(57)【特許請求の範囲】
【請求項１】
固定接触子と、
前記固定接触子と接触及び開離する可動接触子装置と、
前記可動接触子装置の開離量を制限する接触子ストッパと、
第１の固定ピンに回転自在に保持され且つ開離途中の前記可動接触子装置に衝突されて回転する動作レバーと、
前記動作レバーの回転量を制限する動作レバーストッパと、
前記動作レバーの復帰ばねと、
第２の固定ピンに回転自在に保持され且つ前記動作レバーが前記可動接触子装置に衝突されて回転したとき前記動作レバーの回転に伴って回転する制御レバーと、
前記接触子ストッパと衝突した前記可動接触子装置と係合してその跳ね返り移動を阻止する前記動作レバー又は制御レバーに設けられる接触子跳ね返り阻止手段と、
前記可動接触子装置と係合するように前記接触子跳ね返り阻止手段の移動を制御する制御手段と
を備えることを特徴とする回路遮断器。
【請求項２】
前記制御手段は前記制御レバーの有する慣性によって得られることを特徴とする請求項１の回路遮断器。
【請求項３】
前記接触子跳ね返り阻止手段は前記制御レバーに設けられ、
第１の固定ピンと第２の固定ピンは同軸上に設けられ、
前記動作レバーと前記制御レバーは前記制御レバーを前記動作レバーの復帰方向に付勢する結合ばねによって互いに結合され、
前記復帰ばねは固定部材と前記動作レバーとの間に設けられていることを特徴とする請求項２の回路遮断器。
【請求項４】
前記接触子跳ね返り阻止手段は前記制御レバーに設けられ、
第１の固定ピンと第２の固定ピンは同軸上に設けられ、
前記動作レバーと前記制御レバーは前記動作レバーが前記可動接触子装置に衝突されて回転するとき前記制御レバーを共に回転させ且つ前記制御レバーが復帰回転するとき前記動作レバーを共に回転させる結合手段を備え、
前記動作レバーの復帰ばねは固定部材と前記制御レバーとの間に設けられていることを特徴とする請求項２の回路遮断器。
【請求項５】
前記接触子跳ね返り阻止手段は前記動作レバーに設けられ、
前記復帰ばねは固定部材と前記動作レバーとの間に設けられ、
第１の固定ピンと第２の固定ピンは異軸上に設けられ、
前記動作レバーと前記制御レバーはいずれか一方に設けられるピンと他方に設けられ回転方向に両端を有する切欠きと前記ピンを前記切欠きの一端に押し付ける制御レバー復帰ばねによって連結されていることを特徴とする請求項２の回路遮断器。
【請求項６】
前記接触子跳ね返り阻止手段は前記動作レバーに設けられ、
第１の固定ピンと第２の固定ピンは異軸上に設けられ、
前記動作レバーと前記制御レバーはリンク部材によって連結していることを特徴とする請求項２の回路遮断器。
【請求項７】
固定接触子と、前記固定接触子と接触及び開離する可動接触子装置と、
前記可動接触子装置の開離量を制限する接触子ストッパと、
開離途中の前記可動接触子装置と衝突して回転する動作レバーと、
前記接触子ストッパと衝突した前記可動接触子装置と係合してその跳ね返り移動を阻止する前記動作レバーに設けられる接触子跳ね返り阻止手段と、
前記動作レバーの復帰ばねと、
前記動作レバー上と固定部材のいずれか一方に回転自在に保持される制御レバーと他方に設けられる前記制御レバーの回転を阻止する制御レバーストッパと、
前記動作レバーの衝突回転途中に前記制御レバーと前記制御レバーストッパが係合したとき前記動作レバーの衝突回転力を減ずる方向に前記制御レバーを付勢する制御ばねと
を備えることを特徴とする回路遮断器。
【発明の詳細な説明】
【０００１】
【発明の属する技術分野】
この発明は、回路遮断器の可動接触子の開離動作において、跳ね返りによる再接触を防止する技術に関する。
【０００２】
【従来の技術】
従来の回路遮断器が図１４及び図１５に示されている。図１４において、ＯＮ状態にあるこの回路遮断器は、一対の固定接触子１と、左右方向に移動し且つ一対の固定接触子１と接触及び開離する可動接触子２と、可動接触子２を保持する接触子ホルダー３と、回転自在のクロスバー４に保持された接触子レバー５と、接触子ホルダー３と接触子レバー５とを連結する連結軸６と、接触子レバー５に設けられたローラ７と、固定軸８に保持された回転自在のレバー９と、固定軸１０に保持された回転自在のレバー１１と、レバー９とレバー１１との間に連結される上リンク１２と下リンク１３を含むリンク機構と、可動接触子２を固定接触子１から離れる方向に付勢すると共にローラ７をレバー９のカム面に押し付ける開放ばね１４と、開放ばね１４の作用に抗して上記リンク機構の伸直状態を保持するラッチ１５と、開放ばね１４の作用により反時計方向に付勢されているレバー１１の回転を係止しているトリップレバー１６とを有している。
【０００３】
図１４のＯＮ状態においてトリップ信号がこの回路遮断器に加えられると、トリップレバー１６が動作してレバー１１との係合が解消し、順次、レバー１１が反時計方向に回転し、下リンク１３及び上リンク１２を介してレバー９が時計方向に回転し、ローラ７がレバー９のカム面を移動して接触子ホルダー３を介して可動接触子２が左方向に移動して一対の固定接触子１から開離し、図１５に示すＯＦＦ状態となる。なお、図１４の一部部品の図示を省略した図１５において、レバー１１は復帰ばねによって元の位置に復帰している。上記のトリップ動作の最終段階で可動接触子２の左方向への移動を制限するため、図１５において連結軸６の移動を阻止する接触子ストッパ１７が設けられている。
【０００４】
このような回路遮断器に流れる大きな短絡電流を遮断するためにトリップ信号が加えられると、固定接触子１と可動接触子２との間に発生する極めて大きな電磁反発力によって可動接触子２が高速で左方向へ移動するため、接触子レバー５も高速で反時計方向に回転する。その結果、連結軸６が接触子ストッパ１７に勢いよく衝突し、その反動で接触子レバー５と共に可動接触子２が跳ね返って右方向に移動して固定接触子１と再接触したり著しく接近して絶縁が低下したりすることによって回路遮断器が劣化するという問題がある。このような問題を防止するため、従来の回路遮断器には図１６〜１９に示されるラッチ機構１００を設けていた。
【０００５】
このラッチ機構１００は、クロスバー４に固着され且つキックピン１８及び制御ピン１９が取付けられた駆動レバー２０と、回路遮断器の固定部材に設けられた制御部材１０１とを有する。可動接触子装置は、可動接触子２、接触子ホルダー３、接触子レバー５、クロスバー４、連結軸６、ローラ７、キックピン１８、制御ピン１９、駆動レバー２０などから構成され、連結軸６は接触子レバー５と駆動レバー２０の双方を挿通している。なお、これらの図において、接触子ストッパ１７は鎖線で示されている。また、制御部材１０１は、固定ピン１０２に回転自在に保持された動作レバー１０３と、ストッパピン１０４と、動作レバー１０３のピン１０５とストッパピン１０４との間に設けられた復帰ばねを構成する引きばね１０６を有している。
【０００６】
このラッチ機構１００の動作について説明する。図１６は回路遮断器がＯＮ状態にあるときの要部を示しており、動作レバー１０３が引きばね１０６によってストッパピン１０４に押し付けられてその時計方向の回転が阻止されている。この状態において短絡電流遮断のためのトリップ信号が加わると駆動レバー２０が反時計方向に高速で回転し、図１７のように、キック受け部１０３ａがキックピン１８によって蹴られて動作レバー１０３が引きばね１０６に抗して反時計方向に回転する。そして、図１８のごとく、連結軸６が接触子ストッパ１７と衝突するのとほぼ同時に、衝突辺１０３ｂにおいて動作レバー１０３が動作レバーストッパを構成するクロスバー４と衝突し、その跳ね返り力と引きばね１０６によって動作レバー１０３が時計方向に回転する。一方、連結軸６が接触子ストッパ１７と衝突したことによりクロスバー４と共に駆動レバー２０は時計方向に跳ね返り回転を始めるが、図１９のごとく駆動レバー２０の制御ピン１９が動作レバー１０３の接触子跳ね返り阻止手段を構成する制御辺１０３ｃと衝突するためにその回転が阻止され、可動接触子２が固定接触子１に接近したり再接触することのないようになっている。
【０００７】
【発明が解決しようとする課題】
しかしながら、図１６の状態において、より大きな短絡電流が流れたときは、電磁反発力もより大きくなり、駆動レバー２０の反時計方向の回転や動作レバー１０３の反時計方向の回転もより高速となり、図１８において、クロスバー４に衝突した後の動作レバー１０３の跳ね返り速度もより高速となる。このため、制御ピン１９が動作レバー１０３の制御辺１０３ｃと接触することなく空振り状態となり、駆動レバー２０が時計方向に跳ね返り回転し、その結果可動接触子２が固定接触子１と接触したり接近することがあるという問題があった。
したがって、本発明の課題は、より大きな短絡電流を遮断しても可動接触子が開離した直後に固定接触子に再接触したり接近したりすることのない回路遮断器を実現することにある。
【０００８】
【課題を解決するための手段】
上記の問題を解決するために、請求項１に係る回路遮断器は、固定接触子と、固定接触子と接触及び開離する可動接触子装置と、可動接触子装置の開離量を制限する接触子ストッパと、第１の固定ピンに回転自在に保持され且つ開離途中の可動接触子装置に衝突されて回転する動作レバーと、動作レバーの回転量を制限する動作レバーストッパと、動作レバーの復帰ばねと、第２の固定ピンに回転自在に保持され且つ動作レバーが可動接触子装置に衝突されて回転したとき動作レバーの回転に伴って回転する制御レバーと、接触子ストッパと衝突した可動接触子装置と係合してその跳ね返り移動を阻止する動作レバー又は制御レバーに設けられる接触子跳ね返り阻止手段と、可動接触子装置と係合するように接触子跳ね返り阻止手段の移動を制御する制御手段とを備えることとしている。
このような構成により、開離する途中で可動接触子装置が動作レバーと衝突して動作レバーを高速で回転させ、動作レバーを介して制御レバーが回転する。衝突回転した動作レバーが動作レバーストッパと衝突したとき、接触子跳ね返り阻止手段を備えた動作レバー又は制御レバーの移動を制御し、遅れて跳ね返り移動する可動接触子装置と係合しその跳ね返り移動を阻止する。
【０００９】
請求項２に係る回路遮断器は、請求項１の発明において、制御手段は制御レバーの有する慣性によって得られることとしている。
このような構成により、動作レバーを介して回転した制御レバーは、動作レバーが動作レバーストッパと衝突しても慣性力を有しており、単独で回転を続けたり動作レバーの跳ね返り回転を制御して接触子跳ね返り阻止手段の移動を制御する。
【００１０】
請求項３に係る回路遮断器は、請求項２の発明において、接触子跳ね返り阻止手段は制御レバーに設けられ、第１の固定ピンと第２の固定ピンは同軸上に設けられ、動作レバーと制御レバーは制御レバーを動作レバーの復帰方向に付勢する結合ばねによって互いに結合され、復帰ばねは固定部材と動作レバーとの間に設けられていることとしている。
このような構成により、結合ばねによって動作レバーと結合している制御レバーは、動作レバーが動作レバーストッパと衝突するまでは動作レバーと共に回転する。動作レバーが動作レバーストッパと衝突して跳ね返っても、接触子跳ね返り阻止手段を備えた制御レバーは慣性力により結合ばねに抗してそのまま回転を続けて、遅れて跳ね返り移動する可動接触子装置と係合する。
【００１１】
請求項４に係る回路遮断器は、請求項２の発明において、接触子跳ね返り阻止手段は制御レバーに設けられ、第１の固定ピンと第２の固定ピンは同軸上に設けられ、動作レバーと制御レバーは動作レバーが可動接触子装置に衝突されて回転するとき制御レバーを共に回転させ且つ制御レバーが復帰回転するとき動作レバーを共に回転させる結合手段を備え、動作レバーの復帰ばねは固定部材と制御レバーとの間に設けられていることとしている。
このような構成により、衝突回転した動作レバーが結合手段を介して制御レバーを回転させ、動作レバーが動作レバーストッパと衝突して跳ね返っても、接触子跳ね返り阻止手段を備えた制御レバーは慣性力により復帰ばねに抗してそのまま回転を続け、遅れて跳ね返り移動する可動接触子装置と係合する。自由状態にあった動作レバーは、復帰ばねによって制御レバーが復帰回転するとき結合手段を介して所定の位置に復帰する。
【００１２】
請求項５に係る回路遮断器は、請求項２の発明において、接触子跳ね返り阻止手段は動作レバーに設けられ、復帰ばねは固定部材と動作レバーとの間に設けられ、第１の固定ピンと第２の固定ピンは異軸上に設けられ、動作レバーと制御レバーはいずれか一方に設けられるピンと他方に設けられ回転方向に両端を有する切欠きとピンを切欠きの一端に押し付ける制御レバー復帰ばねによって連結されていることとしている。
このような構成により、ピンと切欠きの一端と制御レバー復帰ばねとによって動作レバーと連動する制御レバーは、動作レバーが動作レバーストッパと衝突するまでは動作レバーと共に回転する。動作レバーが動作レバーストッパと衝突して跳ね返っても、制御レバーは慣性力により制御レバー復帰ばねに抗してそのまま回転を続け、切欠きの他端がピンと係合して接触子跳ね返り阻止手段を備えた動作レバーの跳ね返りを抑制して、遅れて跳ね返り移動する可動接触子装置と係合する。
【００１３】
請求項６に係る回路遮断器は、請求項２の発明において、接触子跳ね返り阻止手段は動作レバーに設けられ、第１の固定ピンと第２の固定ピンは異軸上に設けられ、動作レバーと制御レバーはリンク部材によって連結していることとしている。
このような構成により、リンク部材によって動作レバーと連動する制御レバーは、動作レバーが動作レバーストッパと衝突するまでは動作レバーと共に回転する。動作レバーが動作レバーストッパと衝突して跳ね返り回転力が加わっても、この跳ね返り回転力と反対方向の制御レバーが有する慣性力がリンク部材を介して動作レバーに加わり、接触子跳ね返り阻止手段を備えた動作レバーの跳ね返りを抑制し、遅れて跳ね返り移動する可動接触子装置と係合する。
【００１４】
請求項７に係る回路遮断器は、固定接触子と、固定接触子と接触及び開離する可動接触子装置と、可動接触子装置の開離量を制限する接触子ストッパと、開離途中の可動接触子装置と衝突して回転する動作レバーと、接触子ストッパと衝突した可動接触子装置と係合してその跳ね返り移動を阻止する動作レバーに設けられる接触子跳ね返り阻止手段と、動作レバーの復帰ばねと、動作レバー上と固定部材のいずれか一方に回転自在に保持される制御レバーと他方に設けられる制御レバーの回転を阻止する制御レバーストッパと、動作レバーの衝突回転途中に制御レバーと制御レバーストッパが係合したとき動作レバーの衝突回転力を減ずる方向に制御レバーを付勢する制御ばねとを備えることとしている。
このような構成により、開離する途中に可動接触子装置が動作レバーと衝突して動作レバーを高速で回転させる。動作レバーの回転中に制御レバーが制御レバーストッパと係合し、制御ばねの作用により接触子跳ね返り阻止手段を備えた動作レバーの回転力を抑制し遅れて跳ね返り移動する可動接触子装置と係合する。
【００１５】
【発明の実施の形態】
以下、本発明の実施の形態を、図１〜１３に示される実施例において説明する。なお、これらの実施例の回路遮断器の大部分は従来の技術と同一であるため、その図示と説明を省略して要部だけを説明し、従来技術と実質的に同一の部材には同一の符号を付する。
図１〜３に第１実施例に係る回路遮断器のラッチ機構を示す。このラッチ機構３０の制御部材３１は、固定ピン３２に互いに回転自在に保持された動作レバー３３と制御レバー３４、動作レバー３３のピン３５と制御レバー３４のピン３６との間に設けられた結合ばねを構成する引きばね３７、ストッパピン３８と動作レバー３３のピン３９との間に設けられた動作レバーの復帰ばねを構成する引きばね４０とを有する。
【００１６】
この第１実施例の回路遮断器のラッチ機構の動作について説明する。図１において、この回路遮断器がＯＮ状態にあるとき、動作レバー３３は引きばね４０によりストッパピン３８に押し付けられてその時計方向の回転が阻止され、制御レバー３４が引きばね３７によりピン３５に押し付けられて動作レバー３３と制御レバー３４とが一体化した状態となっている。この状態において駆動レバー２０が反時計方向に回転すると、キック受け部３３ａをキックピン１８に蹴られて動作レバー３３が引きばね４０に抗して制御レバー３４と共に反時計方向に回転し、連結軸６が接触子ストッパ１７と衝突するのとほぼ同時に、図２のごとく、衝突辺３３ｂにおいて動作レバー３３がクロスバー４と衝突する。このとき、制御レバー３４はクロスバー４と衝突することなく離れた位置にある。
【００１７】
動作レバー３３はクロスバー４と衝突した反動と引きばね４０の付勢力により時計方向に回転するが、制御レバー３４は、動作レバー３３と共に回転することはなく、慣性により引きばね３７に抗して反時計方向に回転を続ける。一方、時計方向に跳ね返り回転を始めた駆動レバー２０は、図３のごとく、その制御ピン１９が接触子跳ね返り阻止手段を構成する制御レバー３４の制御辺３４ａと衝突することによってその回転が阻止され、可動接触子２と固定接触子１との再接触が阻止される。なお、短絡電流が小さい場合は動作レバー３３の跳ね返り速度が小さいため、制御レバー３４の作用がなくても、制御ピン１９が動作レバーの制御辺３３ｃに衝突して駆動レバー２０の跳ね返りが阻止される。
【００１８】
図４〜６に第２実施例に係る回路遮断器のラッチ機構を示す。このラッチ機構５０の制御部材５１は、固定ピン５２に互いに回転自在に保持された動作レバー５３と制御レバー５４、制御レバー５４のピン５５とストッパピン５６との間に設けられた動作レバーの復帰ばねを構成する引きばね５７とを有する。
【００１９】
この第２実施例の回路遮断器のラッチ機構の動作について説明する。図４において、この回路遮断器がＯＮ状態にあるとき、制御レバー５４が引きばね５７により制御レバーストッパを構成する動作レバー５３のピン５８に時計方向に押し付けられ、この押し付けにより時計方向に付勢される動作レバー５３はストッパピン５６に押し付けられて、共にその回転が阻止されている。この状態において駆動レバー２０が反時計方向に回転すると、第１実施例と同様に、キック受け部５３ａがキックピン１８によって蹴られて動作レバー５３は引きばね５７に抗して回転付勢され、この付勢により動作レバー５３のピン５８に押される制御レバー５４と共に反時計方向に回転する。そして、連結軸６が接触子ストッパ１７と衝突するのとほぼ同時に、図５のごとく、衝突辺５３ｂにおいて動作レバー５３がクロスバー４と衝突する。このときも、制御レバー５４はクロスバー４と衝突することなく離れた位置にある。
【００２０】
動作レバー５３はクロスバー４と衝突した反動により時計方向に回転するが、制御レバー５４は動作レバー５３と共に回転することはなく、慣性により引きばね５７に抗して反時計方向の回転を続ける。一方、時計方向に跳ね返り回転を始めた駆動レバー２０は、図６のごとく、その制御ピン１９が制御レバー５４の制御辺５４ａと衝突するため、第１実施例と同様に可動接触子２と固定接触子１との再接触を阻止する。
【００２１】
図７〜９に第３実施例に係る回路遮断器のラッチ機構を示す。このラッチ機構６０の制御部材６１は、固定ピン６２に回転自在に保持された動作レバー６３と、固定ピン６４に回転自在に保持された制御レバー６５と、動作レバー６３のピン６６と固定ピン６４との間に設けられた復帰ばねを構成する引きばね６７とを有する。なお、制御レバー６５には切欠き６５ａが形成され、この切欠き６５ａの範囲内で動作レバー６３のピン６８が移動できるようになっている。
【００２２】
この第３実施例の回路遮断器のラッチ機構の動作について説明する。図７において、この回路遮断器がＯＮ状態にあるとき、引きばね６７により時計方向に付勢されている動作レバー６３は固定ピン６４に押しつけられ、固定ピン６４の周りに設けられたねじりばね６９により反時計方向に付勢されている制御レバー６５はその切欠き６５ａの右端がピン６８に押し付けられていることにより、それぞれの回転が阻止されている。この状態において駆動レバー２０が反時計方向に回転すると、第１実施例と同様に、キック受け部６３ａをキックピン１８によって蹴られて動作レバー６３が引きばね６７に抗して反時計方向に回転し、ピン６８を介して制御レバー６５も時計方向に回転する。そして、連結軸６が接触子ストッパ１７と衝突するのとほぼ同時に、図８のごとく、衝突辺６３ｂにおいて動作レバー６３がクロスバー４と衝突してその跳ね返りと引きばね６７の作用により時計方向に回転付勢される。
【００２３】
しかし、制御レバー６５は慣性により時計方向の回転を続けるため、切欠き６５ａの上端が跳ね返り回転を始める動作レバー６３のピン６８と衝突した図９の状態となり、動作レバー６３の回転が抑制され跳ね返り回転を始める駆動レバー２０の制御ピン１９が動作レバー６３の制御辺６３ｃと衝突して可動接触子２と固定接触子１の再接触を阻止する。
【００２４】
図１０及び図１１に第４実施例に係る回路遮断器のラッチ機構を示す。このラッチ機構７０の制御部材７１は、固定ピン７２に回転自在に保持された動作レバー７３と、固定ピン７４に回転自在に保持された制御レバー７５と、動作レバー７３のピン７６と固定ピン７４との間に設けられる引きばね７７と、制御レバー７５のピン７８と動作レバー７３のピン７６との間に設けられたリンク板７９とを有する。
【００２５】
この第４実施例の回路遮断器のラッチ機構の動作について説明する。図１０において、この回路遮断器がＯＮ状態にあるとき、引きばね７７により時計方向に付勢されている動作レバー７３は固定ピン７４に押しつけられ、引きばね７７によりリンク板７９を介して時計方向に付勢されている制御レバー７５はリンク板７９が固定ピン７４に押し付けられており、それぞれの回転が阻止されている。この状態において駆動レバー２０が反時計方向に回転すると、第１実施例と同様にキック受け部７３ａをキックピン１８に蹴られて動作レバー７３が引きばね７７に抗して反時計方向に回転し、リンク板７９を介して制御レバー７５も反時計方向に回転する。この回転により、連結軸６が接触子ストッパ１７と衝突するのとほぼ同時に、図１１のごとく、衝突辺７３ｂにおいて動作レバー７３がクロスバー４と衝突し、その跳ね返りと引きばね７７の作用により動作レバー７３は時計方向に回転付勢される。しかし、この回転付勢力は、制御レバー７５の反時計方向の慣性及びピン７６とピン７８と固定ピン７４が略一直線上に並ぶことにより著しく抑制され、跳ね返り回転を始めた駆動レバー２０の制御ピン１９が動作レバー７３の制御辺７３ｃと衝突して可動接触子２と固定接触子１の再接触を防止する。なお、ピン７６とピン７８と固定ピン７４の位置によって再接触防止特性を調整することもできる。
【００２６】
図１２及び図１３に第５実施例に係る回路遮断器のラッチ機構を示す。このラッチ機構８０の制御部材８１は、固定ピン８２に回転自在に保持された動作レバー８３と、固定ピン８４と、動作レバー８３のピン８５に回転自在に保持された制御レバー８６と、動作レバー８３のピン８９と固定ピン８４との間に設けられた動作レバーの復帰ばねを構成する引きばね８７とを有する。
【００２７】
この第５実施例の回路遮断器のラッチ機構の動作について説明する。図１２において、この回路遮断器がＯＮ状態にあるとき、引きばね８７により時計方向に付勢されている動作レバー８３は固定ピン８４に押しつけられており、ピン８５の周りに設けられている制御ばねを形成するねじりばね８８により反時計方向に付勢されている制御レバー８６は動作レバー８３の突起に押しつけられており、それぞれの回転が阻止されている。この状態において駆動レバー２０が反時計方向に回転すると、第１実施例と同様に、キック受け部８３ａをキックピン１８に蹴られて動作レバー８３と制御レバー８６が引きばね８７に抗して一体的に反時計方向に回転する。この回転により、図１３のごとく、連結軸６が接触子ストッパ１７と衝突する直前に制御レバー８６が制御レバーストッパを構成する固定ピン８４と係合してその回転が阻止され、ねじりばね８８により動作レバー８３の反時計方向の回転速度が減少し、衝突辺８３ｂがクロスバー４と衝突する前に、跳ね返り回転を始めた駆動レバー２０上の制御ピン１９が動作レバー８３の制御辺８３ｃと衝突して可動接触子２と固定接触子１の再接触を防止する。なお、この制御レバー８６を固定部材に設け、固定ピン８４を動作レバー８３上に設けて、動作レバーの８３の回転速度を減少させてもよい。
【００２８】
以上、本発明の実施の形態について説明を行ったが、上記に開示された本発明の実施の形態は、あくまでも例示であって、本発明の範囲は上記の発明の実施の形態に限定されるものではない。本発明の範囲は、特許請求の範囲の記載によって示され、さらに特許請求の範囲の記載と均等の意味および範囲内でのすべての変更を含むことが意図される。
【００２９】
【発明の効果】
以上説明したように、本発明によれば、動作レバーと制御レバーと接触子跳ね返り阻止手段の制御手段を設けるだけの簡単な構成で、開離直後に可動接触子が固定接触子に再接触したり著しく近づいたりすることを防止でき、より大きな短絡遮断電流を有する小形の回路遮断器を構成できるという効果を奏する。
【図面の簡単な説明】
【図１】  本発明の第１実施例に係る回路遮断器のラッチ機構の動作を説明する要部説明図である。
【図２】  第１実施例に係る回路遮断器のラッチ機構の動作途中を示す図である。
【図３】  第１実施例に係る回路遮断器のラッチ機構の動作途中を示す図である。
【図４】  本発明の第２実施例に係る回路遮断器のラッチ機構の動作を説明する要部説明図である。
【図５】  第２実施例に係る回路遮断器のラッチ機構の動作途中を示す図である。
【図６】  第２実施例に係る回路遮断器のラッチ機構の動作途中を示す図である。
【図７】  本発明の第３実施例に係る回路遮断器のラッチ機構の動作を説明する要部説明図である。
【図８】  第３実施例に係る回路遮断器のラッチ機構の動作途中を示す図である。
【図９】  第３実施例に係る回路遮断器のラッチ機構の動作途中を示す図である。
【図１０】  本発明の第４実施例に係る回路遮断器のラッチ機構の動作を説明する要部説明図である。
【図１１】  第４実施例に係る回路遮断器のラッチ機構の動作途中を示す図である。
【図１２】  本発明の第５実施例に係る回路遮断器のラッチ機構の動作を説明する要部説明図である。
【図１３】  第５実施例に係る回路遮断器のラッチ機構の動作途中を示す図である。
【図１４】  従来の回路遮断器のＯＮ状態の全体側面図である。
【図１５】  図１４の回路遮断器のＯＦＦ状態の全体側面図である。
【図１６】  図１４の回路遮断器のラッチ機構の動作を説明する要部説明図である。
【図１７】  図１４の回路遮断器のラッチ機構の動作途中を示す図である。
【図１８】  図１４の回路遮断器のラッチ機構の動作途中を示す図である。
【図１９】  図１４の回路遮断器のラッチ機構の動作途中を示す図である。
【符号の説明】
１…固定接触子、２…可動接触子、５…接触子レバー、４…クロスバー、
６…連結軸、１７…接触子ストッパ、１８…キックピン、１９…制御ピン、
２０…駆動レバー、３０，５０，６０，７０，８０…ラッチ機構、
３１，５１，６１，７１，８１…制御部材、
３３，５３，６３，７３，８３…動作レバー、
３３ａ，５３ａ，６３ａ，７３ａ，８３ａ…キック受け部、
３３ｂ，５３ｂ，６３ｂ，７３ｂ，８３ｂ…衝突辺、
３３ｃ，３４ａ，５４ａ，６３ｃ，７３ｃ，８３ｃ…制御辺、
３４，５４，６５，７５，８６…制御レバー、
３７，４０，５７，６７，７７，８７…引きばね、
５９，６８…ピン、６５ａ…切欠き、６９，８８…ねじりばね、
７９…リンク板、８４…固定ピン。
【図１】
0003669225.tif 000002
【図２】
0003669225.tif 000003
【図３】
0003669225.tif 000004
【図４】
0003669225.tif 000005
【図５】
0003669225.tif 000006
【図６】
0003669225.tif 000007
【図７】
0003669225.tif 000008
【図８】
0003669225.tif 000009
【図９】
0003669225.tif 000010
【図１０】
0003669225.tif 000011
【図１１】
0003669225.tif 000012
【図１２】
0003669225.tif 000013
【図１３】
0003669225.tif 000014
【図１４】
0003669225.tif 000015
【図１５】
0003669225.tif 000016
【図１６】
0003669225.tif 000017
【図１７】
0003669225.tif 000018
【図１８】
0003669225.tif 000019
【図１９】
0003669225.tif 000020